(57)【要約】【課題】複数のレーザーから発生した光ビームを効果的に合成するレーザーディスプレイシステムを提供すること。【解決手段】光ファイバーから構成され、レーザーから発生した光ビームを合成する光合成器520と、合成された光ビームを再び順次にレッド光、グリーン光及びブルー光に分離する回転色分離器530と、順次に分離した光ビームを後述のディスプレイパネル550に放射する照明機器540と、映像信号の電気信号が入力されて、これに基づき、照明機器から照射された光の量を調節してイメージを作り出すディスプレイパネルと、映像信号が入力されて、回転色分離器から出力される色領域とディスプレイパネルに出力される色領域を一致させるコントローラ580とを含む。これにより、光効率を向上させて明るく鮮やかな画面を具現することができる。【選択図】  図１
2004264831.tif 000002
【特許請求の範囲】
【請求項１】
少なくとも二つ以上のレーザーを光源にするレーザーディスプレイシステムであって、
光ファイバーから構成され、前記レーザーから発生した光ビームを合成させる光合成器と、
前記合成された光ビームを再び順次にレッド光、グリーン光及びブルー光に分離する回転色分離器と、
前記順次に分離した光ビームを後述のディスプレイパネルに放射する照明機器と、
映像信号の電気信号が入力されて、これに基づき前記照明機器から照射された光の量を調節してイメージを作り出すディスプレイパネルと、
前記映像信号が入力されて、前記回転色分離器から出力される色領域とディスプレイパネルに出力される色領域を一致させるコントローラを含むことを特徴とするレーザーディスプレイシステム。
【請求項２】
前記光合成器は、
光ファイバーコアと光ファイバークラッドとの間の屈折率の差を利用して入射した光を全反射させて前記光ファイバーコアに沿って進むことを特徴とするレーザーディスプレイシステム。
【請求項３】
前記光合成器は、
前記レッド光、グリーン光及びブルー光を入射する少なくとも一つ以上の光ファイバー入射部と、
前記少なくとも一つ以上の光ファイバーの入射部を一つに融合し、前記レッド光、グリーン光及びブルー光を一つの白色光に合成する光ファイバー合成部と、
前記白色光を出射する光ファイバー出射部を含むことを特徴とする請求項１に記載のレーザーディスプレイシステム。
【請求項４】
前記光ファイバー合成部は、
前記光ファイバー入射部の光ファイバーコアを一つに融合して、一つの光ファイバーコアからなることを特徴とする請求項３に記載のレーザーディスプレイシステム。
【請求項５】
前記回転色分離器は、
レッド光、グリーン光、及びブルー光をそれぞれ透過させることができる領域に分けられており、
前記回転色分離器が回転しながら順次にレッド、グリーン、ブルーの各領域に白色光が放射されると、該当する領域の色だけが透過されることを特徴とする請求項１に記載のレーザーディスプレイシステム。
【請求項６】
前記コントローラは、
前記回転色分離器で透過される光の色を感知した後、前記感知された色を同期して該当する色の信号を前記ディスプレイパネルに送ることを特徴とする請求項１に記載のレーザーディスプレイシステム。
【請求項７】
前記回転色分離器で透過される光の色を感知するセンサーを更に含むことを特徴とする請求項１に記載のレーザーディスプレイシステム。
【請求項８】
レッド光、グリーン光及びブルー光の各光ビームをそれぞれ発生させるレッドレーザー、グリーンレーザー及びブルーレーザーと、
光ファイバーから構成され、前記各レーザーから発生したレッド光、グリーン光及びブルー光の光ビームを合成させる光合成器と、
前記合成された光ビームを放射する照明機器と、
映像信号の電気信号を入力して、これに基づき前記照明機器から照射された光の量を調節してイメージを作り出すディスプレイパネルと、
前記映像信号を入力して、これをレッド、グリーン、ブルーの各色信号に分離した後、該当する色のレーザーを順次にオンにするコントローラを含むことを特徴とするレーザーディスプレイシステム。
【請求項９】
前記光合成器は、
光ファイバーコアと光ファイバークラッドとの間の屈折率の差を利用して入射した光ビームを全反射させて、前記光ファイバーコアに沿って進むことを特徴とする請求項８に記載のレーザーディスプレイシステム。
【請求項１０】
前記光合成器は、
前記レッド光、グリーン光及びブルー光を入射する少なくとも一つ以上の光ファイバー入射部と、
前記少なくとも一つ以上の光ファイバー入射部を一つに融合して前記レッド光、グリーン光及びブルー光を一つの白色光に合成させる光ファイバー合成部と、
前記白色光を出射する光ファイバー出射部を含むことを特徴とする請求項８に記載のレーザーディスプレイシステム。
【請求項１１】
前記光ファイバー合成部は、
前記光ファイバー入射部の光ファイバーコアを一つに融合させて一つの光ファイバーコアからなることを特徴とする請求項１０に記載のレーザーディスプレイシステム。
【請求項１２】
少なくとも２つ以上のレーザーと、映像信号の電気信号を入力して、これに基づき前記レーザーから発生した光の量を調節してイメージを作り出すディスプレイパネルを含むディスプレイシステムにおいて、
光ファイバーから構成され、前記レーザーから発生した光ビームを合成させる光合成器を含むことを特徴とするレーザーディスプレイシステム。
【請求項１３】
前記光合成器は、
光ファイバーコアと光ファイバークラッドとの間の屈折率の差を利用して入射した光ビームを全反射させて前記光ファイバーコアに沿って進むことを特徴とする請求項１２に記載のレーザーディスプレイシステム。
【請求項１４】
前記光合成器は、
前記レッド光、グリーン光及びブルー光を入射する少なくとも一つ以上の光ファイバー入射部と、
前記少なくとも一つ以上の光ファイバー入射部を一つに融合して前記レッド光、グリーン光及びブルー光を一つの白色光に合成させる光ファイバー合成部と、
前記白色光を出射する光ファイバー出射部を含むことを特徴とする請求項１２に記載のレーザーディスプレイシステム。
【請求項１５】
前記光ファイバー合成部は、
前記光ファイバー入射部の光ファイバーコアを一つに融合して、一つの光ファイバーコアからなることを特徴とする請求項１４に記載のレーザーディスプレイシステム。
【発明の詳細な説明】
【技術分野】
【０００１】
本発明は、プロジェクション(projection)ディスプレイシステムに関するもので、特にレーザーを光源に使うレーザーディスプレイシステムに関するものである。
【背景技術】
【０００２】
従来、プロジェクションディスプレイシステムの光源としてランプが使われてきたが、最近はランプに代わってレーザーを使うレーザーディスプレイシステムが開発されている。
このようなレーザーディスプレイシステムは、画像の色相が鮮やかで純色に近く、色を再現する範囲が広くコントラストが高くて鮮やかな画像を得ることができるという長所を有している。
【０００３】
図７は、従来技術によるレーザーディスプレイシステムを表した構成図である。ここに図示したように、レーザーディスプレイシステムは、光ビームを発生するレーザー１１０と、光ビームを集束する集束機１２０と、映像信号に基づき、集束機１２０から伝達された光ビームの透過量を調節するＡＯＭ(acousto-optic modulator)１３０と、ＡＯＭ１３０から光ビームが入力されて回転及び反射することで、映像信号の水平イメージを与える多角形ミラー１４０と、多角形ミラー１４０から光ビームが入力されて一定の角度で上下に繰り返して映像信号の垂直イメージを与える検流計１５０と、多角形ミラー１４０及び検流計１５０で与えられたイメージを表示するスクリーン１６０とを含む。
【０００４】
このように構成された従来技術によるレーザーディスプレイシステムの動作は次の通りである。
先ず、レーザー１１０は光ビームを発生し、集束機１２０は光ビームを一方向に集束する。従って、ＡＯＭ１３０は映像信号に応答した電気信号によって集束した光ビームの透過量を調節する。多角形ミラー１４０は、光ビームを回転及び反射させることで、映像信号の水平イメージを実現し、検流計１５０は光ビームを一定の角度で上下に繰り返して映像信号の垂直イメージを与える。 従って、スクリーン１６０はこのように完成されたイメージをディスプレイする。
【０００５】
図８は、従来技術によるレーザーディスプレイシステムを表した構成図である。ここに図示したように、従来のレーザーディスプレイシステムは、光ビームを発生するレーザー２１０と、光ビームを次に説明するディスプレイパネルに放射する照明機器２２０と、映像信号に基づき照明機器２２０から照射された光の量を調節してイメージを作り出すディスプレイパネル２３０と、イメージを拡大及び投影する投影機２４０と、拡大したイメージを表示するスクリーン２５０とを含む。
【０００６】
このように構成された従来技術によるレーザーディスプレイシステムの動作は、次の通りである。
先ず、レーザー２１０から光ビームが発生すれば、照明機器２２０はディスプレイパネル２３０に光ビームを放射する。 そうすると、ディスプレイパネル２３０は電気赤信号からなる映像信号に基づき、光ビームの総計を調節することで完成された映像をディスプレイする。 ここで、ディスプレイパネル２３０は普通ＬＣＤ(液晶ディスプレイ)からなる。以後、ディスプレイパネル２３０で作られた映像を投影機２４０で拡大し、拡大された映像をスクリーン２５０に表示する。
【０００７】
一方、レッドレーザー、グリーンレーザー、ブルーレーザーをレーザー光源に利用することで、カラー映像を実現する。即ち、レッド、グリーン、ブルー色のレーザー光を合成してスクリーンに伝達することで、使用者はカラー映像を見られる。 光を合成する方法としては、次のような従来技術がある。
【０００８】
図９は、従来技術による光合成器(superimposer)を表わした概路図である。ここに図示したように、光合成器は、レッドレーザー３１０と、グリーンレーザー３２０と、ブルーレーザー３３０と、特定波長を透過または反射させる第1及び第２フィルター３４０、３５０を含む。
このような光合成器の動作を説明すれば、第1フィルター３４０はレッドレーザー光とグリーンレーザー光を合成し、第２フィルター３５０は第１フィルター３４０で合成された光とブルーレーザー光を合成する。 従って、スクリーン３６０上に三色の合成された光が表示される。
【０００９】
しかし、図９のような光合成器の構成は、第１フィルター３４０及び第２フィルター３５０が光の進行方向に対して必ず４５度方向に配置されなければならないし、 各光ビームが垂直に入射して合成されなければならないので、光源の配置に空間的制約が伴い、またシステムが大きくなるという問題点があった。
即ち、第１フィルター３４０及び第２フィルター３５０を、光の進行方向に対して４５度方向に配置できないか、または各光ビームが垂直に入射することができなければ、フィルター３４０、３５０の透過率が変わって不均一な光分布を有するようになるという問題点があった。
【００１０】
一方、光ファイバーを利用した光合成器は、図１０のように図示される。 即ち、図１０のように構成された光合成器はレッドレーザー４１０と、グリーンレーザー４２０と、ブルーレーザー４３０と、各色相のレーザーにそれぞれ繋がった光ファイバー４４０からなり、各色相の光ビームは光ファイバーを通じてスクリーン４５０に放射される。
このような光合成器の構成は、光源の配置による空間的制約を減らし、またシステムの大きさを減らすことができる長所がある。 しかし、各色相のレーザーに繋がっている光ファイバーを出力部分で一箇所に集めなければならないので、 各光ファイバーの出射面を正確に一平面に一致させることがとても難しいという問題点があった。
【発明の開示】
【発明が解決しようとする課題】
【００１１】
本発明は、関連技術の問題点を解決するためのもので、その目的は、少なくとも二つ以上のレーザーから発生した光ビームを効果的に合成するレーザーディスプレイシステムを提供することにある。
【課題を解決するための手段】
【００１２】
このような目的を達成するための本発明の特徴によれば、レーザーディスプレイシステムは、少なくとも２つ以上のレーザーを光源とするレーザーディスプレイシステムにおいて、光ファイバーから構成され、レーザーから発生した光ビームを合成する光合成器と、合成された光ビームを再び順次にレッド光、グリーン光及びブルー光に分離する回転色分離器と、順次に分離した光ビームを後述のディスプレイパネルに放射する照明機器と、映像信号の電気信号が入力されて、これに基づき、照明機器から照射された光の量を調節してイメージを作り出すディスプレイパネルと、映像信号が入力されて、回転色分離器から出力される色領域とディスプレイパネルに出力される色領域を一致させるコントローラとを含むことを特徴とする。
【００１３】
ここで、光合成器は、光ファイバーコアと光ファイバークレディングとの間の屈折率の差を利用して入射した光ビームを全反射させて光ファイバーコアに沿って進むことを特徴とする。
【００１４】
また、光合成器は、レッド光、グリーン光及びブルー光の各光ビームを入射する少なくとも一つ以上の光ファイバー入射部と、少なくとも一つ以上の光ファイバー入射部を一つに融合してレッド光、グリーン光及びブルー光を一つの白色光に合成する光ファイバー合成部と、白色光を出射する光ファイバー出射部を含むことを特徴とする。
【００１５】
一方、本発明によるレーザーディスプレイシステムは、レッド光、グリーン光及びブルー光の各光ビームをそれぞれ発生するレッドレーザー、グリーンレーザー 及びブルーレーザーと、光ファイバーからなり、各レーザーから発生したレッド光、グリーン光及びブルー光の光ビームを合成する光合成器と、合成された光ビームを放射する照明機器(illuminating device)と、映像信号の電気信号が入力されて、これに基づき照明機器から照射された光の量を調節してイメージを作り出すディスプレイパネルと、映像信号が入力されて、これをレッド、 グリーン、及びブルーの色信号に分離した後、該当する色のレーザーを順次にオンにするコントローラとを含むことを特徴とする。
【００１６】
ここで、光合成器は、光ファイバーコアと光ファイバークラッドとの間の屈折率の差を利用して入射した光ビームを全反射させて、光ファイバーコアに沿って進むことを特徴とする。
また、光合成器は、レッド光、グリーン光及びブルー光の各光ビームを入射する少なくとも一つ以上の光ファイバー入射部と、少なくとも一つ以上の光ファイバー入射部を一つに融合して、レッド光、グリーン光及びブルー光を一つの白色光に合成する光ファイバー合成部と、白色光を出射する光ファイバー出射部とを含むことを特徴とする。
【発明の効果】
【００１７】
本発明のレーザーディスプレイシステムによると、レッドレーザー、グリーンレーザー及びブルーレーザーから出射される光ビームを効果的に合成してディスプレイすることで、光効率を向上させて明るく鮮やかな画面を与えることができる。
【００１８】
また、本発明によるレーザーディスプレイシステムは、レッドレーザー、グリーンレーザー及びブルーレーザーから出射される光ビームの分布を均一化することで画面上の明るさを均一化できる。
【００１９】
また、本発明によるレーザーディスプレイシステムは、レッドレーザー、グリーンレーザー及びブルーレーザーの配置と光学機の構成を簡単にしてレーザーディスプレイシステムの大きさを小さくできる。
【発明を実施するための最良の形態】
【００２０】
以下、本発明の望ましい実施形態を添付の図面に基づいて詳しく説明する。
以上本発明の好適な一実施形態について説明したが、実施形態に限定されず、本発明の技術思想に基づいて種々の変形が可能である。
第１実施形態
【００２１】
以下、本発明の一実施形態を添付された図面を参考にして説明する。
図１は、本発明の第１実施形態によるレーザーディスプレイシステムをあらわす構成図である。
ここに図示したように、レーザーディスプレイシステムは、レッド光、グリーン光及びブルー光をそれぞれ発生するレッドレーザー５１１、グリーンレーザー５１２及びブルーレーザー５１３と、レッド光、グリーン光及びブルー光を合成する光合成器５２０と、合成された光を再び順次にレッド光、グリーン光及びブルー光に分離する回転色分離器５３０と、順次に分離した光を次に説明するディスプレイパネルに放射する照明機器５４０と、次に説明するコントローラから映像信号の電気信号が入力されて、これに基づき照明機器から照射された光の量を調節してイメージを作り出すディスプレイパネル５５０と、イメージを拡大及び投影する投影機５６０と、拡大したイメージを表示するスクリーン５７０と、映像信号が入力されて回転色分離器５３０及びディスプレイパネル５５０に出力する色領域を一致させるコントローラ５８０とを含む。
【００２２】
このように構成された本発明によるレーザーディスプレイシステムの動作を添付した図面を参照して説明する。
先に、レッドレーザー５１１、グリーンレーザー１２及びブルーレーザー５１３は、レッド光、グリーン光及びブルー光の各光ビームをそれぞれ発生する。 このように発生した各レッド光、グリーン光及びブルー光は、図２に図示したように、光合成器５２０の該当する光ファイバー入射部６２０に進む。 光ファイバー入射部６２０に進入したレッド光、グリーン光及びブルー光の各光ビームは、光ファイバーコア６３０と光ファイバークラッド(cladding)６４０との間の屈折率の差によって全反射されて、それぞれの光ファイバーコア６３０に沿って進行する。この時、光ファイバー合成部６５０は、それぞれの光ファイバーコア６３０が一つに合成されて、一つの光ファイバーコアからなる。 従って、それぞれの光ファイバーコアに沿って進行したレッド光、グリーン光及びブルー光の各光ビームは、光ファイバー合成部６５０で融合されて白色光となり、この白色光は、一つの光ファイバーコアに沿って進行して光ファイバー出射部６６０から出射される。
【００２３】
図２に示すように、光合成器５２０は、従来の光ファイバー出射部から出射される白色光を一平面に垂直に整列する必要もなく。また従来の光ファイバー出射部を互いに結合して固定する必要もない。
以後、 光合成器５２０から出射された白色光は、回転色分離器５３０を透過する。 この時、回転色分離器５３０は、入射される白色光をレッド光、グリーン光、ブルー光で順次に分離してディスプレイパネル５５０で進行させる。
【００２４】
過程を図３、図４Ａないし図４Ｄを参照して更に詳しく説明する。
先ず、ディスプレイパネル５５０を利用してカラー映像を形成するためには一つの画面を成す時間の間、レッド光、グリーン光、ブルー光のそれぞれが表示される時間に分けた後、レッド光、グリーン光、ブルー光を順次一つの画面に表示する。 即ち、一つの画面の周期が６０Ｈｚの場合、レッド光、グリーン光、ブルー光の各色を１/１８０秒ディスプレーしてカラー画面を表示する。
【００２５】
図３に図示したように、回転色分離器５３０は、レッド光、グリーン光、ブルー光の各光ビームを透過させることができる領域(Ｒ、Ｇ、Ｂ)に分けられており、回転色分離器５３０が回転しながら順次にレッド、グリーン、ブルーの各領域に白色光が放射されると該当する領域の色だけ透過する。即ち、順次レッド光、グリーン光、ブルー光の各光ビームに分離してディスプレイパネル５５０に進める。
【００２６】
従って、ディスプレイパネル５５０は、進行したレッド光、グリーン光、ブルー光の各色が入力されて一つのカラー映像を形成する。 即ち、コントローラ５８０は、映像信号を入力してこの映像信号をレッド、グリーン及びブルーの各色の色信号に分離した後、ディスプレイパネル５５０に上記色信号を進める。これによってディスプレイパネル５５０は、順次に各色をディスプレイして一つのカラー映像になるようにする。 この時、回転色分離器５３０から分離した光の色と、ディスプレイパネル５５０に表現された光の色とを一致させるために、回転色分離器５３０にセンサー７１０を置いて回転色分離器で透過される光の色を感知した後、 コントローラ５８０で該当する色の色信号をディスプレイパネル５５０に送る。 従って、回転色分離器５３０で分離した光の色とディスプレイパネル５５０で表示される光の色が同期して正確なカラー映像を形成することができる。
【００２７】
更に詳しくは、図４Ｄに図示したように、回転色分離器５３０を透過した光ビームが照明機器５４０によってディスプレイパネル５５０に放射される。この時、光ビームは単純にレッド、グリーン、ブルーの色領域に分けられている。 そして, コントローラ５８０は、図４Ａに図示したような映像信号(電気信号としてレッド、グリーン、ブルーの各色が混ざっている)が入力されて、図４Ｃに図示したようなセンサー信号に同期して、映像信号をディスプレイパネル５５０に送る。 従って、ディスプレイパネル５５０に図４Ｄに示すようなカラー映像が形成される。 即ち、回転色分離器５３０の色と等しい色の光ビームが ディスプレイパネル５５０に表示される。
以後、ディスプレイパネル５５０に形成された映像は投影機５６０によって拡大/投射されてスクリーン５７０にディスプレイされる。
第２実施形態
【００２８】
図５は、本発明の第2実施形態によるレーザーディスプレイシステムをあらわす構成図である。
ここに図示したように、レーザーディスプレイシステムは、レッド光、 グリーン光及びブルー光をそれぞれ発生するレッドレーザー９１１、グリーンレーザー９１２及びブルーレーザー９１３と、レッド光、グリーン光及びブルー光の各光ビームを合成する光合成部９２０と、合成された光ビームを次に説明するディスプレイパネルに放射する照明機器９３０と、次に説明するコントローラから映像信号の電気信号が入力されて、これに基づき照明機器９３０から照射された光の量を調節してイメージを作り出すディスプレイパネル９４０と、イメージを拡大及び投影する投影機９５０と、拡大されたイメージを表示するスクリーン９６０と、映像信号が入力されてこれをレッド、グリーン、ブルーの各色に分離した後、該当する色のレーザーを順次にオン/オフさせるコントローラ９７０を含む。
【００２９】
このように構成された本発明によるレーザーディスプレイシステムの動作を添付された図面を参照して説明する。
まず、レッドレーザー９１１、グリーンレーザー９１２及びブルーレーザー９１３は、それぞれレッド光、グリーン光及びブルー光を発生する。 このように発生したレッド光、グリーン光及びブルー光の各光ビームは、図２に図示したように、光合成部９２０の該当する光ファイバー入射部６２０に進む。 光ファイバー入射部６２０に進入した各レッド光、グリーン光及びブルー光は、光ファイバーコア６３０と光ファイバークラッド６４０との間の屈折率の差によって全反射して、それぞれの光ファイバーコア６３０に沿って進む。 この時、光ファイバー合成部６５０は、それぞれの光ファイバーコアが一つに合成されて一つの光ファイバーコアからなる。 従って、それぞれの光ファイバーコアに沿って進行していたレッド光、グリーン光及びブルー光の各光ビームは、光ファイバー合成部６５０で融合して白色光となり、この白色光は一つの光ファイバーコアに沿って進行し、光ファイバー出射部６６０から出射される。
【００３０】
図２のように光合成器を構成すれば、従来の光ファイバー出射部から出射する白色光を一つの平面に垂直に整列させる必要もなく、また、従来の光ファイバー出射部を互いに束ねて固定する必要もない。
光ファイバー出射部を通過した白色光は照明機器によってディスプレイパネルに放射される。
【００３１】
これを図６Ａないし図６Ｅを参照して説明する。コントローラ９７０は、図６Ａに図示したような映像信号(電気信号として レッド、グリーン、ブルーの各色が混ざっている)が入力されて、これをレッド、グリーン及びブルーの色信号に分離した後、分離した色信号を根拠にして、レッドレーザー９１１、グリーンレーザー９１２及びブルーレーザー９１３を順次にオン/オフにすることでディスプレイパネル９４０に放射される光ビームが、図６Ｂないし図６Ｄに図示したように、順次に出力されるようにコントロールする。 従って、ディスプレイパネル９４０に図４Ｄのようなカラー映像が形成される。
即ち、コントローラ９７０に入力される映像信号と等しい映像がディスプレイパネル９４０に表示される。
【００３２】
以後、ディスプレイパネル９４０に具現された映像は、投影機９５０によって拡大/投射されてスクリーン９６０にディスプレイされる。
【００３３】
以上で詳しく説明したように、本発明によるレーザーディスプレイシステムは、以下のような利点を有する。
本発明は、レッドレーザー、グリーンレーザー及びブルーレーザーから出射される光ビームを効果的に合成してディスプレイすることで、光効率を向上させて明るく鮮やかな画面を与えることができる。
また、本発明は、レッドレーザー、グリーンレーザー及びブルーレーザーから出射される光ビームの分布を均一化することで画面上の明るさを均一化できる。
また、本発明は、レッドレーザー、グリーンレーザー及びブルーレーザーの配置と光学機の構成を簡単にしてレーザーディスプレイシステムの大きさを小さくできる。
【図面の簡単な説明】
【００３４】
【図１】図１は、本発明の第１実施形態によるレーザーディスプレイシステムを表す構成図である。
【図２】図２は、本発明による光合成器を表わした概路図である。
【図３】図３は、本発明による回転色分離器を説明するための図である。
【図４】図４（Ａ）（Ｂ）（Ｃ）（Ｄ）は、本発明の第１実施形態によるコントローラを説明するためのタイムチャート図である。
【図５】図５は、本発明の第２実施形態によるレーザーディスプレイシステムを表す構成図である。
【図６】図６（Ａ）〜（Ｅ）は、本発明の第２実施形態による コントローラを説明するためのタイムチャート図である。
【図７】図７は、従来技術によるレーザーディスプレイシステムを表わした構成図である。
【図８】図８は、従来技術による他のレーザーディスプレイシステムを表わした構成図である。
【図９】図９は、従来技術による光合成器を表わした概路図である。
【図１０】図１０は、従来技術による光ファイバーを利用した光合成器を表わす概路図である。
【符号の説明】
【００３５】
５１１ レッドレーザー
５１３ ブルーレーザー
５３０ 回転色分離器
５４０ 照明機器
５５０ ディスプレイパネル
５６０ 投影機
５７０ スクリーン
６２０ 光ファイバー入射部
６３０ 光ファイバーコア
６４０ 光ファイバークラッド
６５０ 光ファイバー合成部
６６０ 光ファイバー出射部
【図１】
2004264831.tif 000003
【図２】
2004264831.tif 000004
【図３】
2004264831.tif 000005
【図４】
2004264831.tif 000006
【図５】
2004264831.tif 000007
【図６】
2004264831.tif 000008
【図７】
2004264831.tif 000009
【図８】
2004264831.tif 000010
【図９】
2004264831.tif 000011
【図１０】
2004264831.tif 000012